【手続補正書】
【提出日】平成28年2月29日(2016.2.29)
【手続補正１】
【補正対象書類名】明細書
【補正対象項目名】００５６
【補正方法】変更
【補正の内容】
【００５６】
バレルの、その分割不能なノズル、及びエアキャップの、及びそれらとともに使用されてもよい液体スプレーガンプラットフォームの図示的な実施形態が考察され、実現可能な変形例が、参照されました。本明細書で開示された具体的な例示的構造、特徴、詳細、形態などは、改変することができ、及び／又は数多くの実施形態で組み合わせることができることが、当業者には明らかであろう。すべてのかかる変形例及び組み合わせは、発明者によって、考えられた発明の境界内であると企図され、例示的な図示として役立つように選択された単なる代表的な設計ではない。したがって、本発明の範囲は、本明細書に記載される特定の例示的構造に限定されるべきではないが、むしろ少なくとも請求項の言語によって説明される構造、及びそれらの構造に相当する構造にまで拡大する。本明細書で使用する場合、用語「液体」とは、スプレーガン又は他のスプレー装置を使用して、表面に塗布することができる、全ての形態の流動性材料（それらが、表面を着色することを目的とするか否かに関わらず）を指し、それらの流動性材料としては（限定するものではないが）、塗料、プライマー、ベースコート、ラッカー、ワニス、及び同様の塗料様材料、並びに、例えば、接着剤、シーラー、充填剤、パテ、粉末コーティング、発破用粉末、研磨スラリー、農業用液体／溶液（例えば、肥料、除草剤、殺虫剤など）、離型剤、鋳造仕上げ剤などのような、他の材料が挙げられ、これらは、一部の実施形態では、その材料の特性及び／又は目的とする用途に応じて、霧化した形態で適用することができる。用語「液体」は、それに従って解釈されたい。用語「空気」は、便宜上使用されており、任意の好適なガス状組成物又は混合物（例えば、窒素、不活性ガスなど）の使用を広く包含する。用語「霧化」は、同様に便宜上使用されており、液体を微細なスプレーに変換することを指し、液体を個々の分子又は原子に変換することを求めるものではない。特性又は特質に対する修飾語句として本明細書で使用するとき、用語「概ね」は、絶対的な精度又は完璧な一致を求めるものではないが、特性又は特質が当業者により容易に理解できるであろうことを表し（例えば、定量化可能な特性に関して＋／−２０％以内）、用語「実質的に」は、重ねて絶対的な精度又は完璧な一致を求めるものではないが、高度な近似を表す（例えば、定量化可能な特性に関して＋／−５％以内）。記載される本明細書と、参照により本明細書に組み込まれている全ての文書内の開示との間に不一致又は矛盾が存在する場合、記載される本明細書が優先する。本発明の実施態様の一部を以下の項目［１］−［１８］に記載する。
[１]
液体スプレーガンを提供するために、液体スプレーガンプラットフォームとともに使用するためのバレルであって、
少なくとも１つの中央空気送達通路、及び少なくとも１つの液体処理通路を有する本体と、
分割不能なノズルと、を備え、
前記ノズルは、
前記本体の前記少なくとも１つの液体処理通路と流体的に連通する液体放出オリフィスを画定し、且つ、
前記本体の前記少なくとも１つの中央空気送達通路と流体的に連通する中央空気オリフィスを画定する、バレル。
[２]
前記バレルの前記本体と、前記分割不能なノズルとは、一体成形プラスチックの一部分である、項目１に記載のバレル。
[３]
前記バレルに取り付けられるエアキャップを更に備え、
前記エアキャップは、少なくとも２つのエアホーンを有し、
前記エアホーンは、
前記バレルの前記液体放出オリフィスを超えて前方に突出し、且つ
複数の開口を集合的に含み、
前記複数の開口の少なくともいくつかは、前記バレルの前記液体放出オリフィスを通る液体流れの方向に概ね整列する軸とは反対側に配置される、項目１に記載のバレル。
[４]
前記バレルの複数の表面、および前記エアキャップの複数の表面は、ファン空気チャンバを少なくとも部分的に画定するように、互いに組み合わされ、
前記ファン空気チャンバは、前記少なくとも２つのエアホーンにファン空気を分配するように構成される、項目３に記載のバレル。
[５]
前記エアキャップのいかなる表面も、前記中央空気オリフィス又は前記中央空気送達通路のいかなる部分も画定せず、
前記エアキャップのいかなる表面も、前記中央空気送達通路から前記中央空気オリフィスへと流れる中央空気と接触せず、又は、該中央空気を導くように作用しない、項目４に記載のバレル。
[６]
前記バレルの複数の表面および前記エアキャップの複数の表面は、中央空気チャンバを少なくとも部分的に画定するように、互いに組み合わされ、
前記中央空気チャンバは、前記バレルの前記中央空気オリフィスに中央空気を分配するように構成される、項目４に記載のバレル。
[７]
前記エアキャップは、
一体成形プラスチックの一部分であり、且つ
前記エアキャップの取り付け機構によって前記バレルに取り付けられ、
前記取り付け機構は、前記エアキャップと一体であり、且つ該エアキャップと一体成形される、項目３に記載のバレル。
[８]
前記バレルは、前記液体スプレーガンプラットフォームに解放可能に取り付けられ得る、項目１に記載のバレル。
[９]
前記バレルは、前記液体スプレーガンプラットフォームに解放不能に取り付けられる、項目１に記載のバレル。
[１０]
前記液体放出オリフィスと流体的に連通する細長い内側チャンバと、
前記細長い内側チャンバから所定の角度で外方に突出する中空の傾斜突出部と、を更に備え、
前記傾斜突出部は、
前記バレルの液体処理通路入口と、
前記バレルの前記液体処理通路入口に流体的に接続され、且つ、前記バレルの前記細長い内側チャンバに液体処理接合部によって流体的に接続される液体入路と、を有する、項目１に記載のバレル。
[１１]
前記分割不能なノズルは、前記液体放出オリフィスを画定する環状の先端部と、フランジと、を有し、
前記フランジの少なくとも一部は、前記環状の先端部から径方向外側に離隔され、
前記中央空気オリフィスは、前記環状の先端部の、径方向外側に面する表面と、前記フランジの、径方向内側に面する表面と、の間に画定される、項目１に記載のバレル。
[１２]
前記フランジは、フレアー状のスカートを形成するように、後方へ延在し、
前記フレアー状のスカートは、前記ノズル内の内側中央空気流路を画定し、
前記内側中央空気流路は、前記バレルの前記少なくとも１つの中央空気通路から空気を受ける、項目１１に記載のバレル。
[１３]
前記フレアー状のスカートの後端部は、前記バレルの中央空気送達面に、該中央空気送達面上の中央空気出口から径方向外側の位置で、当接し、又は一体的に接続される、項目１２に記載のバレル。
[１４]
前方側に面する環状の中央空気送達面と、
前方側に面する環状のファン空気送達面と、を備える、項目１に記載のバレル。
[１５]
液体スプレーガンプラットフォームに取り付けられた、項目１に記載のバレルを備える、液体スプレーガン。
[１６]
前記液体スプレーガンは、エアキャップを備えていない、項目１５に記載の液体スプレーガン。
[１７]
液体を噴霧する方法であって、液体を噴霧するために項目１５に記載の液体スプレーガンを使用することを含む、方法。
[１８]
前記液体は、塗料である、項目１７に記載の方法。
【手続補正２】
【補正対象書類名】特許請求の範囲
【補正対象項目名】全文
【補正方法】変更
【補正の内容】
【特許請求の範囲】
【請求項１】
液体スプレーガンを提供するために、液体スプレーガンプラットフォームとともに使用するためのバレルであって、
少なくとも１つの中央空気送達通路、及び少なくとも１つの液体処理通路を有する本体と、
分割不能なノズルと、を備え、
前記ノズルは、
前記本体の前記少なくとも１つの液体処理通路と流体的に連通する液体放出オリフィスを画定し、且つ、
前記本体の前記少なくとも１つの中央空気送達通路と流体的に連通する中央空気オリフィスを画定する、バレル。
【請求項２】
前記バレルの前記本体と、前記分割不能なノズルとは、一体成形プラスチックの一部分である、請求項１に記載のバレル。
【請求項３】
液体スプレーガンプラットフォームに取り付けられた、請求項１に記載のバレルを備える、液体スプレーガン。